(57)【要約】【課題】軽量且つコンパクトであって、しかも、操作する力が均等に合理的に靴下等に及び、操作も容易であり、足の大小に係わらず使用が可能である靴下、ソックス、又はストッキングの着用補助具を提供する。【解決手段】引手付きの柄の下端に前方へ低く傾斜して突出する左右分枝片からなる足入れを突設するとともに、足入れの外側に前方から靴下等を挿入できるように左右分枝片の間隔を弾性変形により狭め得るように形成し、足入れの後端の入口またはその近傍に靴下等の口元を止め得るようにした。【選択図】    図１
2004195108.tif 000002
【特許請求の範囲】
【請求項１】
引手付きの柄の下端に前方へ低く傾斜して突出する左右分枝片からなる足入れを突設するとともに、足入れの外側に前方から靴下等を挿入できるように左右分枝片の間隔を弾性変形により狭め得るように形成し、足入れの後端の入口またはその近傍に靴下等の口元をクリップ等で止め得るようにしたことを特徴とする靴下、ソックス又はストッキングの着用補助具。
【発明の詳細な説明】
【０００１】
【発明の属する技術分野】
この発明は、身体の一部の自由がきかない人が使用する靴下、ソックス、又はストッキングの着用補助具に関する。
【０００２】
【従来の技術】
靴下、ソックス、又はストッキング（以下靴下と総称することがある）を着用するときには、前屈みになる必要があるので、その姿勢をとることが困難な身体障害者だけでなく、老人、舞台衣装の重ね着用者、肥満者、妊婦等には人の助けによらないかぎり着用で出来なく、出来たとしても非常に苦労が強いられることになる。また、生活に慣れない幼稚園児や、手足が不自由な人の場合も同様である。前屈みが困難な人のためには、特開昭５５−８７９２号公報において、着用補助具の提案がなされている。
【０００３】
上記公報に記載される靴下の着用補助具は、把手付きの長いロッドの先端に、靴下を装着する足入れを反転可能に軸承したもので、使用するときには、その足入れの中に靴下を挿入するとともに、上端部を口の外側へ折り返すことにより装着してから、ロッドで操作しながら靴下を足先に入れて足入れを引き上げると、足入れから靴下が徐々に抜けながら足に嵌まり込んでゆく。こうして、靴下が履かれてから足から抜く必要があるため、足入れは半筒形に近い湾曲形状に形成されている。
【０００４】
【発明が解決しようとする課題】
しかし、上記のような着用補助具によれば、ロッドがステッキのように長く、足入れが筒形に近い枠形であるために、大型で重く使用に不便であるばかりでなく、足入れが軸を中心に回転するものである等、仰々しく見えて使用に気が引けることになるという問題があった。ちなみに、一般的に患者は重たいもの、嵩張るものは苦手である。
【０００５】
また、足を入れるときにロッドが妨げにならないように、ロッドの先端部に直角の屈折部を設けることにより、それを介してロッドの横に足入れを並列的に設けたので、ロッドを操作する力が均等に及びがたく、このようなことからも操作に無理な力が必要で順調な操作性に欠け、加えて、足が大きいと足入れに挿入できないという問題もあった。
【０００６】
この発明は、上記のような実情に鑑みて、軽量且つコンパクトであって、しかも、操作する力が均等に合理的に靴下等に及び、操作も容易であり、足の大小に係わらず使用が可能である靴下、ソックス、又はストッキングの着用補助具を提供することを目的とした。
【０００７】
【課題を解決するための手段】
上記の目的を達成するために、この発明は、引手付きの柄の下端に前方へ低く傾斜して突出する左右分枝片からなる足入れを突設するとともに、足入れの外側に前方から靴下等を挿入できるように左右分枝片の間隔を弾性変形により狭め得るように形成し、足入れの後端の入口またはその近傍に靴下等の口元を止め得るようにしたことを特徴とする靴下、ソックス又はストッキングの着用補助具を提供するものである。
【０００８】
【作用】
靴下、ソックス又はストッキングの着用補助具を上記のように構成したから、これを使用するときには、足入れを狭めながらその先端から靴下を挿入すると、足入れの左右分枝片の弾発力により靴下等が張り詰めてそれに密着するので、クリップにより口許を止めた状態において、柄で引き上げることにより足を入口から靴下に確実に挿入することができる。靴下を上に引き上げて挿入が完了してからは、クリップを外すことにより足から足入れを外すと、それで足に靴下が履かれた状態となっている。
【０００９】
【発明の実施の形態】
次に、この発明を幾つかの発明の実施の形態を示す図面について具体的に説明する。
【００１０】
図１および図２は、一実施の形態を示し、その靴下、ソックス、又はストッキングの着用補助具Ｐは、弾性変形する金属線材やプラスチック等により形成されることにより、柄１の下端に足入れ２を前方に低く傾斜するように突設したもので、足入れ２は、足４を挿入可能に開く二股の分枝片３，３からなり、両分枝片３，３の間が後端で入口５に、前端が出口６にそれぞれ開いている。そして、入口５の下端に靴下Ｓを掛止するクリップ８が備えられる。使用については、まず、出口６の方から足入れ２の外側に靴下Ｓを、靴下のつま先部分が足入れ２の前端部出口６にできるだけ近付くように挿入すると共に、靴下のかかと部分から足首以後を、図２に示すように、足入れ２の傾斜部から後方にかけて滞留させ、さらに、靴下Ｓの口許をクリップ８に止めることにより、靴下Ｓを足入れ２に装着する。
【００１１】
両分枝片３，３は、基端部がたすき交差９により分かれる分枝線３ａ，３ａとそれから後方へ曲がる反転後退線３ｂ，３ｂと、その接続線３ｃとからなり、接続線３ｃに、クリップ８が取り付けられている。クリップ８は、一対の挟み片１３，１３を開閉可能に相互に軸支したもので、コイルばね１５の弾力により靴下Ｓの開口縁を挟み止めるようにしてあるが、このクリップ８は、単なる面ファスナー部材や突起等、靴下Ｓの口許を止めうるものであれば、その構造を特に問題とするものではない。
【００１２】
柄１の上端にはフック形の引手１７が設けられいる。図２は、靴下Ｓを装着してから、足４に履かせる中途の状態を示したもので、この図２において、足４を足入れ２の間に深く挿入した後、引手１７を手に持って矢印の方向へ引き上げると、靴下Ｓが足４に順次挿入されるので、挿入が終わったら足入れ２を足４の先から抜き取る。それには、クリップ８の止めを解き、足４に沿って一旦持ち上げて、靴下Ｓの上にずり上げてから、靴下Ｓの外側から足先にずり下げる。しかし、次の実施の形態は、そのずり上げの手間を無くしたものである。
【００１３】
図３は、この手間省きのためにクリップ８を紐や線材等の長手部材１９を介して前方に位置するように取り付けたもので、こうすれば、靴下Ｓを足４に履かせたときに、靴下Ｓが足入れ２からほぼ外れた状態となるので（二点鎖線参照）、靴下Ｓの外側になすために足入れ２を一旦引き上げる必要がなくなる。なお、この図３では、柄１の上端の引手１７がＴ字形であり、また、交差９が無く直接に分かれる分枝片３，３となっている。
【００１４】
さらに、次の実施の形態では、足入れ２を足先の方向へ向かって外す必要がないようにした。図４は、両分枝片３，３の後端に接続線３ｃがなく開放され、その両後退線３ｂ，３ｂの端の外側にそれぞれクリップ８，８が取り付けられる。このようにすると、足入れ２の下面が全体的に開放しているので（接続線ｃが無いので）、足４に履き終えた状態において足入れ２を単に引き上げることにより外すことができる。
【００１５】
身体の不自由な人であっても、通常は足首までは手が届くので、柄１の長さは不要であるが、図３および図４では念のため、柄１を心材１ａに嵌まる管状に形成し、押ねじ２０で止めて長さ調整可能にしてある。なお、足入れ２が金属製であるときには、肌に優しい素材（例えば軟質プラスチックや布素材など）により被覆しておくことが望ましい。
【００１６】
【発明の効果】
以上説明したように、この発明の靴下、ソックス又はストッキングの着用補助具によれば、軽量且つコンパクトであって仰々しくないため、人目を気にすることなく要領よく快適に使用でき、しかも、足入れが柄に対して二股の均等な形状であるので、操作する力が合理的に靴下等に及び、操作が非常に容易であり、また、足入れが弾性変形により開くので足の大小に係わらず使用が可能であるという優れた効果がある。
【図面の簡単な説明】
【図１】この発明の一実施の形態による靴下、ソックス又はストッキングの着用補助具を使用要領で示す斜視図である。
【図２】同靴下、ソックス又はストッキングの着用補助具を次の使用要領で示す斜視図である。
【図３】他の実施形態による靴下、ソックス又はストッキングの着用補助具を示す斜視図である。
【図４】さらに他の実施形態による靴下、ソックス又はストッキングの着用補助具を示す斜視図である。
【符号の説明】
Ｐ  靴下、ソックス又はストッキングの着用補助具
Ｓ  靴下（ソックス、ストッキング）
１  柄
２  足入れ
３  分枝片
５  入口
６  出口
８  クリップ
１７  引手
【図１】
2004195108.tif 000003
【図２】
2004195108.tif 000004
【図３】
2004195108.tif 000005
【図４】
2004195108.tif 000006